(57)【要約】【課題】  異なる種類の端末の間において異なる形式のデータを共有する。【解決手段】  データサーバ３は、インターネット４を介して接続された楽器端末１−Ｂから、その楽器端末１−Ｂに適応した形式のデータを受信し、その受信したデータをカメラ携帯端末１−Ａに適応した形式のデータに変換して、インターネット４を介して接続されたカメラ携帯端末１−Ａに対して、変換したデータを送信する。【選択図】  図１
2005352798.tif 000002
【特許請求の範囲】
【請求項１】
所定の通信網を介して接続されたある種類の端末から、当該端末に適応した形式のデータを受信する受信手段と、
前記受信手段によって受信されたデータを他の種類の端末に適応した形式のデータに変換する変換手段と、
前記通信網を介して接続された前記他の種類の端末に対して、前記変換手段によって変換されたデータを送信する送信手段と、
を備えたデータ変換装置。
【請求項２】
前記変換手段は、前記受信手段によって受信されたデータに付加されている形式識別情報に基づいて、当該受信されたデータを変換することを特徴とする請求項１に記載のデータ変換装置。
【請求項３】
端末を識別する端末識別情報および当該端末の加入者を識別する加入者識別情報を登録する記憶手段をさらに備え、前記受信手段および前記送信手段は、前記通信網を介して接続された任意の種類の端末並びに少なくとも１つの他の種類の端末におけるそれぞれの端末識別情報および加入者識別情報が前記記憶手段に登録されている場合に、当該任意の端末からのデータの受信および当該任意の端末へのデータの送信を許可することを特徴とする請求項１に記載のデータ変換装置。
【請求項４】
所定の通信網を介して接続されたある種類の端末から、当該端末に適応した形式のデータを受信する第１のステップと、
前記第１のステップによって受信されたデータを他の種類の端末に適応した形式のデータに変換する第２のステップと、
前記通信網を介して接続された前記他の種類の端末に対して、前記第２のステップによって変換されたデータを送信する第３のステップと、
を実行するデータ変換処理のプログラム。
【請求項５】
前記第２のステップは、前記第１のステップによって受信されたデータに付加されている形式識別情報に基づいて、当該受信されたデータを変換することを特徴とする請求項４に記載のデータ変換処理のプログラム。
【請求項６】
端末を識別する端末識別情報および当該端末の加入者を識別する加入者識別情報を所定の記憶手段に登録する第４のステップをさらに有し、前記第１のステップおよび前記第３のステップは、前記通信網を介して接続された任意の種類の端末並びに少なくとも１つの他の種類の端末におけるそれぞれの端末識別情報および加入者識別情報が前記第４のステップによって前記記憶手段に登録されている場合に、当該任意の端末からのデータの受信および当該任意の端末へのデータの送信を許可することを特徴とする請求項４に記載のデータ変換処理のプログラム。
【発明の詳細な説明】
【技術分野】
【０００１】
本発明は、データ変換装置およびデータ変換処理のプログラムに関し、特に、通信網を介して接続された端末との間でデータを送受信するデータ変換装置およびデータ変換処理のプログラムに関するものである。
【背景技術】
【０００２】
通信網を介してデータを送受信するシステムの中には、ゲーム結果や経過等の個人データを、携帯データ端末、大型の業務用ゲーム機、家庭用ゲーム機など、どんなゲーム機からでも利用できるようにし、ゲームの中間状況の再現や育成したキャラクタを他のゲームに登場させる等、より面白みのあるシステムを提供する従来例がある。
この従来例によれば、異なるゲームプログラムで共通に使用できるようにあかかじめ規格化されたゲーム結果やゲームキャラクタ等のデータを、ユーザ毎に記憶するデータ記憶装置を有するサービスセンタが構成するシステムであって、携帯データ端末の他、業務用ゲーム機、家庭用ゲーム機のそれぞれが、ＳＩＭ（Subscriber Identity Module）カード等、規格化された着脱可能なセキュリティーモジュールのインタフェースを有し、公衆通信網を介してサービスセンタに接続して、ゲーム結果やゲームキャラクタ等のデータをダウンロード／アップロードするものである。（特許文献１参照）
【特許文献１】特開２００３−１６９９６５号公報
【発明の開示】
【発明が解決しようとする課題】
【０００３】
しかしながら、このような従来のシステムにおいては、異なる種類の端末の間で同一の形式のデータを共有することは可能であるが、異なる形式のデータを共有することはできなかった。例えば、楽器端末に適応したＭＩＤＩ形式のデータを、カメラ携帯端末に適応したＧＩＦ形式の楽譜画像のデータ、又は、ＷＡＶ形式の音声のデータとして利用することができなかった。
本発明は、このような従来の課題を解決するためのものであり、異なる種類の端末の間において異なる形式のデータを共有できるようにすることを目的とする。
【課題を解決するための手段】
【０００４】
請求項１に記載のデータ変換装置は、所定の通信網（実施形態においては、図１のインターネット４に相当する）を介して接続されたある種類の端末から、当該端末に適応した形式のデータを受信する受信手段と、受信手段によって受信されたデータを他の種類の端末に適応した形式のデータに変換する変換手段と、通信網を介して接続された他の種類の端末に対して、変換手段によって変換されたデータを送信する送信手段と、を備えた構成になっている。この場合において、受信手段、変換手段、および送信手段は、実施形態においては、図１のデータサーバ３の機能に相当する。
【０００５】
請求項１のデータ変換装置において、請求項２に記載したように、変換手段は、受信手段によって受信されたデータに付加されている形式識別情報（実施形態においては、ダウンロード先の端末で利用するデータ形式を示す拡張子に相当する）に基づいて、当該受信されたデータを変換するような構成にしてもよい。
請求項１のデータ変換装置において、請求項３に記載したように、端末を識別する端末識別情報（実施形態においては、図３のＭＡＣ＿ＡＤＲに相当する）および当該端末の加入者（実施形態においては、ユーザに相当する）を識別する加入者識別情報（実施形態においては、図３のＵＳＥＲ＿ＩＤに相当する）を登録する記憶手段（実施形態においては、図１のデータサーバ３のデータベースに相当する）をさらに備え、受信手段および送信手段は、通信網を介して接続された任意の種類の端末並びに少なくとも１つの他の種類の端末におけるそれぞれの端末識別情報および加入者識別情報が記憶手段に登録されている場合に、当該任意の端末からのデータの受信および当該任意の端末へのデータの送信を許可するように構成してもよい。
【０００６】
請求項４に記載のデータ変換処理のプログラムは、所定の通信網（実施形態においては、図１のインターネット４に相当する）を介して接続されたある種類の端末から、当該端末に適応した形式のデータを受信する第１のステップと、第１のステップによって受信されたデータを他の種類の端末に適応した形式のデータに変換する第２のステップと、通信網を介して接続された他の種類の端末に対して、第２のステップによって変換されたデータを送信する第３のステップと、を実行する構成になっている。なお、第１のステップないし第３のステップは、実施形態においては、図１のデータサーバ３の処理に相当する。
【０００７】
請求項４のデータ変換処理のプログラムにおいて、請求項５に記載したように、第２のステップは、第１のステップによって受信されたデータに付加されている形式識別情報（実施形態においては、ダウンロード先の端末で利用するデータ形式を示す拡張子に相当する）に基づいて、当該受信されたデータを変換するような構成にしてもよい。
請求項４のデータ変換処理のプログラムにおいて、請求項６に記載したように、端末を識別する端末識別情報（実施形態においては、図３のＭＡＣ＿ＡＤＲに相当する）および当該端末の加入者（実施形態においては、ユーザに相当する）を識別する加入者識別情報（実施形態においては、図３のＵＳＥＲ＿ＩＤに相当する）を所定の記憶手段（実施形態においては、図１のデータサーバ３のデータベースに相当する）に登録する第４のステップをさらに有し、第１のステップおよび第３のステップは、通信網を介して接続された任意の種類の端末並びに少なくとも１つの他の種類の端末におけるそれぞれの端末識別情報および加入者識別情報が第４のステップによって記憶手段に登録されている場合に、当該任意の端末からのデータの受信および当該任意の端末へのデータの送信を許可するような構成にしてもよい。
【発明の効果】
【０００８】
本発明のデータ変換装置およびデータ変換処理のプログラムによれば、通信網を介して接続された異なる種類の端末の間において、異なる形式のデータを共有できるという効果が得られる。
【発明を実施するための最良の形態】
【０００９】
以下、本発明のデータ変換装置の実施形態について、図１ないし図６を参照して説明する。
図１は、実施形態におけるデータ変換装置の構成を示す図である。図１に示すように、種類の異なる端末１、すなわち、カメラ携帯端末１−Ａ、楽器端末１−Ｂ、ゲーム機端末１−Ｃ、ＧＰＳ端末１−Ｄ、その他図示しない端末のそれぞれには、ＳＩＭ（Subscriber Identity Module）カード２を着脱可能に装着して共用することができる。また、各種類の端末１は、データサーバ３とインターネット４を介して接続して、データの送受信（アップロード／ダウンロード）を行なうことができる。データサーバ３には、各種類の端末１であるカメラ携帯端末１−Ａ、楽器端末１−Ｂ、ゲーム機端末１−Ｃ、ＧＰＳ端末１−Ｄのそれぞれに対応する記憶エリアとして、カメラ携帯ファイル、楽器ファイル、ゲーム機ファイル、ＧＰＳファイルなどの複数種類のファイルからなるデータベースが設けられている。
【００１０】
図２は、カメラ携帯端末１−Ａの内部構成を示すブロック図である。図２に示すように、ＣＰＵ１１には、システムバスを介して、ＲＯＭ１２、ＲＡＭ１３、スイッチ部１４、カメラ１５、表示部１６、通信部１７、サウンドシステム１８、インタフェース１９が接続されている。
ＲＯＭ１２には、ＣＰＵ１１によって実行されるデータ変換処理のプログラムを含む制御プログラムや初期データなどがあらかじめ格納されている。ＲＡＭ１３は、ＣＰＵ１１のワークエリアであり、ＣＰＵ１１によって処理される各種のデータを一時的に記憶する。スイッチ部１４は、例えば、アップロード要求、ダウンロード要求、表示指令、撮像指令などのユーザの指令を操作に応じて入力する各種のスイッチで構成されている。カメラ１５は、スイッチ部１４からの撮像指令に応じて撮像した画像を取り込んで、ＣＰＵ１１のデータ処理によって、ＪＰＥＧ形式、ＧＩＦ形式、ＰＮＧ形式、ＴＩＦＦ形式などの画像データとして、ＳＩＭカード２やＲＡＭ１３などにストアする。表示部１６は、スイッチ部１４からの表示指令などに応じて画像や文字などを表示する。通信部１７は、スイッチ部１４のアップロード要求やダウンロード要求などに応じてデータサーバ３と通信を行う。サウンドシステム１８は、ＷＡＶ形式の音声データに応じたＣＰＵ１１のデータ処理によって、音声や曲のメロディを発音する。インタフェース１９は、装着されたＳＩＭカード２に記憶されているデータの読出しや、ＳＩＭカード２へのデータの書き込みを制御する。
【００１１】
図３は、図１のデータサーバ３に記憶されているデータ例の内容を示す図である。この場合のデータ例は、２つの種類の端末（例えば、カメラ携帯端末１−Ａと楽器端末１−Ｂ）との間で、データを共有する場合を示している。図３（Ａ）は、端末管理パラメータＰＲＭであり、ＰＲＭで区別される端末毎のパラメータを示している。図３（Ａ）において、ＵＳＥＲ＿ＩＤは端末の加入者であるユーザを識別するユーザＩＤ、ＭＡＣ＿ＡＤＲは端末のＭＡＣアドレス、ＥＸＴ＿Ｎは変換元データの形式である変換元拡張子データの数、ＥＸＴＤ[１]〜ＥＸＴＤ[ＥＸＴ＿Ｎ]は変換元拡張子データ、ＥＸＴは変換元拡張子名、ＳＩＺＥは規定サイズ、ＥＸＴ２＿Ｎは変換先データの形式である変換先拡張子データの数、ＥＸＴ２Ｄ[１]〜ＥＸＴ２Ｄ[ＥＸＴ２＿Ｎ]は変換先拡張子データ、ＥＸＴ２は変換先拡張子名、ＰＲＧ＿ＩＤＸは変換プログラムインデックス（ただし、ＩＤＸ＝０は無変換）である。
【００１２】
図３（Ｂ）は、端末１からデータサーバ３へのアップロード（ＵＬ）のファイルデータであり、ＮＡＭＥは変換元拡張子名（ＥＸＴ）を含むファイル名、ＳＩＺＥはファイルサイズ、ＴＭ＿ＩＤＸはＵＬ先の端末を指定する端末インデックス、ＥＸＴ２は変換先拡張子名、ＤＡＴＡはファイルの中身である。例えば、楽器端末１−Ｂからデータサーバ３にアップロードしたＭＩＤＩ形式のデータを、データサーバ３からカメラ携帯端末１−Ａにダウンロードして利用する場合には、複数種類のデータ形式が可能である。カメラ携帯端末１−Ａで利用するデータが音声やメロディである場合には変換先拡張子はＷＡＶであり、利用するデータが画像である場合には、変換先拡張子はＪＰＥＧ、ＧＩＦ、ＰＮＧ、ＴＩＦＦなどである。
【００１３】
図３（Ｃ）は、変換プログラムインデックス（ＰＲＧ＿ＩＤＸ＝１，２，…）によって識別される変換プログラム群ＰＲＧ[１]，ＰＲＧ[２]，…である。例えば、ＭＩＤＩ形式をＷＡＶ形式に変換する変換プログラムはＰＲＧ[１]、ＭＩＤＩ形式をＧＩＦ形式に変換する変換プログラムはＰＲＧ[２]である。２種類以上の端末との間でデータを共有する場合には、データをアップロードする端末およびそのデータ形式と、そのデータをダウンロードして利用する端末およびそのデータ形式との両者の関係で変換プログラムが決定される。
【００１４】
次に、任意の端末１−Ｘからデータサーバ３へのアップロードのシーケンスについて、図４のフローチャートを参照して説明する。
端末１−Ｘ（例えば、カメラ携帯端末１−Ａ）において、ＵＬ先の端末（端末インデックス）および変換先データの形式（変換先拡張子名）とともに、ＲＡＭ１３内にストアされたファイルの中からＵＬファイルが指定されると、図３（Ｂ）のフォーマットのＵＬファイルが、ＳＩＭカード２から読み出したＵＳＥＲ＿ＩＤ、および端末１−Ｘから読み出したＭＡＣ＿ＡＤＲとともに、データサーバ３に送信される（ステップＳＢ１）。データサーバ３はそのＵＳＥＲ＿ＩＤ、ＭＡＣ＿ＡＤＲ、ＵＬファイルを受信する（ステップＳＡ１）。次に、端末１−Ｘとデータサーバ３との間において確認処理が行われる（ステップＳＣ１）。データサーバ３は、この確認処理の結果に基づいて、アップロードを許可できるか否かのユーザ確認を判別する（ステップＳＡ２）。ユーザ確認ができない場合には、端末１−Ｘに対してエラー送信を行う（ステップＳＡ３）。
【００１５】
ユーザ確認ができた場合には、図３（Ｂ）のＵＬファイルのＮＡＭＥに含まれている拡張子名ＥＸＴに対応する拡張子が、図３（Ａ）に含まれているか否かを判別する（ステップＳＡ４）。すなわち、ＵＬファイルに含まれている端末インデックスＴＭ＿ＩＤＸに対し、変換元拡張子名ＥＸＴが、図３（Ａ）のＰＲＭ[ＴＭ＿ＩＤＸ]のＥＸＴＤ[ｐ１]．ＥＸＴと一致するｐ１（１≦ｐ１≦ＥＸＴ＿Ｎ）が存在するか否かを判別する。対応する拡張子が含まれている場合には、さらにＵＬファイルのファイルサイズＳＩＺＥが図３（Ａ）の規定サイズＳＩＺＥ内であるか否かを判別する（ステップＳＡ５）。すなわち、ステップＳＡ４において存在が確認されたｐ１について、ＵＬファイルのファイルサイズＳＩＺＥが、規定サイズＥＸＴＤ[ｐ１]．ＳＩＺＥ内であるかを判別する。ＵＬファイルのＮＡＭＥに含まれている拡張子名ＥＸＴに対応する拡張子が、図３（Ａ）に含まれていない場合、又は、ＵＬファイルのファイルサイズＳＩＺＥが規定サイズＳＩＺＥより大きい場合には、いずれも端末１−Ｘに対してエラー送信を行う（ステップＳＡ３）。
【００１６】
ＵＬファイルのＮＡＭＥに含まれている拡張子名ＥＸＴに対応する拡張子が、図３（Ａ）に含まれており、かつ、ＵＬファイルのファイルサイズＳＩＺＥが規定サイズＳＩＺＥ内である場合には、変換プログラムによる変換が必要か否かを判別する（ステップＳＡ６）。すなわち、図３（Ａ）のＰＲＭ[ＴＭ＿ＩＤＸ]のＥＸＴＤ[ｐ１]内において、ＵＬファイルに含まれる変換先拡張子名ＥＸＴ２が、ＥＸＴ２Ｄ[ｐ２]．ＥＸＴ２に一致するｐ２（１≦ｐ２≦ＥＸＴ２＿Ｎ）が存在し、かつそのｐ２に対してＥＸＴ２Ｄ[ｐ２]．ＰＲＧ＿ＩＤＸが「０」であるか否かを判別する。変換プログラムによる変換が必要である場合には、図３（Ｃ）における対応する変換プログラムＰＲＧ[ＰＲＧ＿ＩＤＸ]によって、アップロードされたＵＬファイルを変換して変換ファイルを生成する（ステップＳＡ７）。そして、ＰＲＧ＿ＩＤＸが「０」で変換が必要でない場合には、受信したＵＬファイルをそのままデータサーバ３内の、ＴＭ＿ＩＤＸで指定された端末のファイルの記憶エリアに格納し、変換した場合には生成した変換ファイルを上記記憶エリアに格納する（ステップＳＡ８）。この後は、ＵＬ完了を端末１−Ｘに送信する（ステップＳＡ９）。したがって、端末１−Ｘは、ＵＬ完了又はエラーを受信する（ステップＳＢ３）。
【００１７】
図５は、図４のアップロード処理におけるステップＳＣ１の確認処理のシーケンスを示すフローチャートである。データサーバ３は、端末１−Ｘから受信したＵＳＥＲ＿ＩＤ、ＭＡＣ＿ＡＤＲが登録済か否かを判別する（ステップＳＤ１）。すなわち、図３（Ａ）のＰＲＭ[ｐ３]のＵＳＥＲ＿ＩＤが受信したＵＳＥＲ＿ＩＤに一致し、かつＰＲＭ[ｐ３]のＭＡＣ＿ＡＤＲが受信したＭＡＣ＿ＡＤＲに一致するｐ３（１≦ｐ３≦ＴＭ＿ＭＡＸ）が存在するか否かを判別する。登録されていない場合にはユーザ非確認と判定し（ステップＳＤ２）、図４のステップＳＡ２を経てステップＳＡ３のエラー送信に移行する。一方、端末１−Ｘから受信したＵＳＥＲ＿ＩＤ、ＭＡＣ＿ＡＤＲが登録済である場合には、別端末接続要求を端末１−Ｘに送信する（ステップＳＤ３）。端末１−Ｘはこの別端末接続要求を受信して（ステップＳＥ１）、ユーザに通知して、図４のステップＳＢ２に移行して、ＵＬ完了又はエラーの受信を待つ。例えば、端末１−Ｘがカメラ携帯端末１−Ａである場合には、別端末接続要求を受信すると、図２の表示部１６にその旨を表示する。
【００１８】
ユーザは、端末１−Ｘにおいて別端末接続要求の通知を受けたときは、他の種類の端末１−Ｙ（例えば、楽器端末１−Ｂ）を操作して、ＵＳＥＲ＿ＩＤ、ＭＡＣ＿ＡＤＲをデータサーバ３に対して送信する（ステップＳＦ１）。データサーバ３は、端末１−ＹからＵＳＥＲ＿ＩＤ、ＭＡＣ＿ＡＤＲを受信して（ステップＳＤ４）、受信したＵＳＥＲ＿ＩＤ、ＭＡＣ＿ＡＤＲが登録済であるか否かをステップＳＤ１と同様にして判別し（ステップＳＤ５）、登録されていない場合にはユーザ非確認と判定し（ステップＳＤ２）、図４のステップＳＡ２を経てステップＳＡ３のエラー送信に移行する。一方、端末１−Ｙから受信したＵＳＥＲ＿ＩＤ、ＭＡＣ＿ＡＤＲが登録済である場合には、ユーザ確認と判定し（ステップＳＤ６）、図４のステップＳＡ２を経てステップＳＡ４に移行する。
【００１９】
次に、データサーバ３から任意の端末１−Ｙへのダウンロードのシーケンスについて、図６のフローチャートを参照して説明する。
端末１−Ｙ（例えば、カメラ携帯端末１−Ａ）からＵＳＥＲ＿ＩＤ、ＭＡＣ＿ＡＤＲ、ＤＬファイル名が送信されると（ステップＳＨ１）、データサーバ３はそのＵＳＥＲ＿ＩＤ、ＭＡＣ＿ＡＤＲ、ＤＬファイル名を受信する（ステップＳＧ１）。次に、端末１−Ｙとデータサーバ３との間において確認処理が行われる（ステップＳＪ１）。この確認処理の動作は、図５の示したフローチャートと同じである。なお端末インデックスＴＭ＿ＩＤＸには、ステップＳＤ１で存在が確認されたｐ３が設定される。データサーバ３は、この確認処理の結果に基づいて、ダウンロードを承認できるか否かのユーザ確認を判別する（ステップＳＧ２）。ユーザ確認ができない場合には、端末１−Ｙに対してエラー送信を行う（ステップＳＧ３）。
【００２０】
ユーザ確認ができた場合には、ＤＬファイルのＮＡＭＥに含まれている拡張子名ＥＸＴに対応する拡張子が、図３（Ａ）に含まれているか否かを判別する（ステップＳＧ４）。すなわち、拡張子名ＥＸＴが、図３（Ａ）のＰＲＭ[ＴＭ＿ＩＤＸ]のＥＸＴＤ[ｐ１]．ＥＸＴと一致するｐ１（１≦ｐ１≦ＥＸＴ＿Ｎ）が存在するか否かを判別する。対応する拡張子名が含まれている場合には、さらに、データサーバ３内の、ＴＭ＿ＩＤＸで指定された端末のファイルの記憶エリアにＤＬファイルがあるか否かを判別する（ステップＳＧ５）。ＤＬファイルのＮＡＭＥに含まれている拡張子名ＥＸＴに対応する拡張子が、図３（Ａ）に含まれていない場合、又は、ＤＬファイルがない場合には、いずれも端末１−Ｙに対してエラー送信を行う（ステップＳＧ３）。ＤＬファイルのＮＡＭＥに含まれている拡張子名ＥＸＴに対応する拡張子が、図３（Ａ）に含まれており、かつ、ＤＬファイルがある場合には、そのＤＬファイルを端末１−Ｙに対して送信する（ステップＳＧ６）。したがって、端末１−Ｙは、ＤＬファイル又はエラーを受信する（ステップＳＨ２）。
【００２１】
以上のように、この実施形態によれば、データサーバ３は、インターネット４を介して接続されたある種類の端末から、その端末に適応した形式のデータを受信し、その受信したデータを他の種類の端末に適応した形式のデータに変換して、インターネット４を介して接続された他の種類の端末に対して、変換したデータを送信する。例えば、楽器端末１−Ｂに適応したＭＩＤＩ形式のデータを、カメラ携帯端末１−Ａに適応したＧＩＦ形式の楽譜画像のデータとして利用したり、ＷＡＶ形式の音声やメロディのデータとして利用することができる。
したがって、インターネット４を介して接続された異なる種類の端末の間において、異なる形式のデータを共有できる。
【００２２】
また、上記実施形態において、受信したデータに付加されている拡張子に基づいて、その受信したデータを変換する。例えば、変換元拡張子ＥＸＴのＭＩＤＩ形式のデータを含むアップロードファイルに、ＷＡＶ形式の変換先拡張子ＥＸＴ２が付加されている場合には、対応する変換プログラムを選択してデータ変換を行う。
したがって、アップロードする端末１−Ｘにおける極めて簡単な手順によって、データサーバ３は容易にダウンロード先の端末１−Ｙのデータ形式に変換することができる。
また、上記実施形態において、データサーバ３は、端末を識別するＭＡＣ＿ＡＤＲおよびその端末のユーザを識別するＵＳＥＲ＿ＩＤを登録するので、インターネット４を介して接続された任意の種類の端末並びに他の種類の端末におけるそれぞれのＭＡＣ＿ＡＤＲおよびＵＳＥＲ＿ＩＤが登録されている場合に、その任意の端末からのデータの受信およびその任意の端末へのデータの送信を許可する。
したがって、パスワードの入力やパスワードの失念による再設定などの面倒な手順を必要とすることなく、簡単な手順によってデータのアップロードおよびダウンロードを行うことができる。
【００２３】
なお、上記実施形態においては、いわゆる物の発明としてのデータ変換装置について説明したが、インターネット４又は外部記憶媒体からインストールしたデータ変換処理のプログラムをデータサーバ３および各端末によって実行する構成も可能である。この場合にはプログラムの発明を実現できる。
【００２４】
すなわち、そのデータ変換処理のプログラムは、
所定の通信網を介して接続されたある種類の端末から、当該端末に適応した形式のデータを受信する第１のステップと、前記第１のステップによって受信されたデータを他の種類の端末に適応した形式のデータに変換する第２のステップと、前記通信網を介して接続された前記他の種類の端末に対して、前記第２のステップによって変換されたデータを送信する第３のステップと、を実行する。
【００２５】
前記第２のステップは、前記第１のステップによって受信されたデータに付加されている形式識別情報に基づいて、当該受信されたデータを変換する。
端末を識別する端末識別情報および当該端末の加入者を識別する加入者識別情報を所定の記憶手段に登録する第４のステップをさらに有し、前記第１のステップおよび前記第３のステップは、前記通信網を介して接続された任意の種類の端末並びに少なくとも１つの他の種類の端末におけるそれぞれの端末識別情報および加入者識別情報が前記第４のステップによって前記記憶手段に登録されている場合に、当該任意の端末からのデータの受信および当該任意の端末へのデータの送信を許可する。
【図面の簡単な説明】
【００２６】
【図１】本発明の実施形態におけるデータ変換装置の構成を示す図。
【図２】図１のカメラ携帯端末の内部構成を示すブロック図。
【図３】（Ａ）は図１のデータサーバ３に記憶されている端末ごとのデータの内容を示す図、（Ｂ）はアップロードのデータの内容を示す図、（Ｃ）は変換プログラム群を示す図。
【図４】端末とデータサーバとの間におけるアップロードのシーケンスを示すフローチャート。
【図５】端末とデータサーバとの間における確認処理のシーケンスを示すフローチャート。
【図６】端末とデータサーバとの間におけるダウンロードのシーケンスを示すフローチャート。
【符号の説明】
【００２７】
１−Ａ  カメラ携帯端末
１−Ｂ  楽器端末
１−Ｃ  ゲーム機端末
１−Ｄ  ＧＰＳ端末
２  ＳＩＭカード
３  データサーバ
４  インターネット
１１  ＣＰＵ
１２  ＲＯＭ
１３  ＲＡＭ
１４  スイッチ部
１５  カメラ
１６  表示部
１７  通信部
１８  サウンドシステム
１９  インタフェース
【図１】
2005352798.tif 000003
【図２】
2005352798.tif 000004
【図３】
2005352798.tif 000005
【図４】
2005352798.tif 000006
【図５】
2005352798.tif 000007
【図６】
2005352798.tif 000008